(57)【要約】【課題】映像データまたは音声データを記録している装置とは別のデータ記録装置を用いて映像や音声を視聴する場合にデータ転送を行わなくても済むようにし、データ転送に要する手間と時間を省けるようにする。【解決手段】ＨＤＤレコーダ１１は、予約記録に必要な予約記録情報を入力し、ネットワークに接続されているデータ通信装置から、入力された予約記録情報を用いた記録予約設定が行われるデータ通信装置を選択し、選択されたデータ通信装置から、そのデータ通信装置に適用されるデータ記録方式を示す記録方式情報を取得し、その取得された記録方式情報を用いて、予約記録に用いられる記録方式を決定し、選択されたデータ通信装置に対し、予約記録情報を送信して、決定された記録方式に応じた記録予約設定を行う。【選択図】図２
2008131487.tif 000002
【特許請求の範囲】
【請求項１】
ネットワークに接続されている他のデータ通信装置とデータ通信を行う通信手段と、
予約記録に必要な予約記録情報が入力される予約記録情報入力手段と、
前記ネットワークに接続されているデータ通信装置のうち、前記予約記録情報入力手段により入力された前記予約記録情報を用いた記録予約設定を行うデータ通信装置を選択する装置選択手段と、
該装置選択手段が選択した前記データ通信装置から、該データ通信装置に適用されるデータ記録方式を示す記録方式情報を取得する取得手段と、
該取得手段により取得された前記記録方式情報を用いて、前記予約記録に用いられる記録方式を決定する方式決定手段と、
前記装置選択手段が選択した前記データ通信装置に対し、前記通信手段により前記予約記録情報を送信して、前記方式決定手段が決定した前記記録方式に応じた前記記録予約設定を行う予約設定手段とを有することを特徴とするデータ通信装置。
【請求項２】
前記取得手段は、前記データ通信装置に関する装置情報を取得することを特徴とする請求項１記載のデータ通信装置。
【請求項３】
予定に関する予定情報を管理する予定情報管理手段を更に有し、
前記装置選択手段は、前記予定情報管理手段によって管理されている前記予定情報に応じた前記データ通信装置を選択する請求項１または２記載のデータ通信装置。
【請求項４】
前記ネットワークに接続されている他のデータ通信装置から、該データ通信装置におけるデータ記録または再生に関する記録再生情報を取得する記録再生情報取得手段を更に有し、
前記装置選択手段は、前記記録再生情報取得手段が取得した前記記録再生情報にしたがい前記データ通信装置を選択する請求項１〜３のいずれか一項記載のデータ通信装置。
【請求項５】
前記ネットワークに接続されている他のデータ通信装置から、該データ通信装置におけるデータ記録または再生に関する記録再生情報を取得する記録再生情報取得手段と、
該記録再生情報取得手段が取得した前記記録再生情報を管理する記録再生情報管理手段とを更に有し、
前記装置選択手段は、前記記録再生情報管理手段が管理する前記記録再生情報にしたがい前記データ通信装置を選択する請求項１〜３のいずれか一項記載のデータ通信装置。
【請求項６】
予約記録に必要な予約記録情報の入力を受け、
ネットワークに接続されているデータ通信装置から、入力された前記予約記録情報を用いて記録予約設定を行うデータ通信装置を選択し、
選択された前記データ通信装置から、該データ通信装置に適用されるデータ記録方式を示す記録方式情報を取得し、
該取得された前記記録方式情報を用いて、前記予約記録に用いられる記録方式を決定し、
選択した前記データ通信装置に対し、前記予約記録情報を送信して、決定した前記記録方式に応じた前記記録予約設定を行うことを特徴とするデータ通信装置における記録予約方法。
【請求項７】
ネットワークに接続されているデータ通信装置から、予約記録に必要な入力された予約記録情報を用いて記録予約設定を行うデータ通信装置を選択する装置選択機能と、
該装置選択機能により選択された前記データ通信装置から、該データ通信装置に適用されるデータ記録方式を示す記録方式情報を取得する取得機能と、
該取得機能により取得された前記記録方式情報を用いて、前記予約記録に用いられる記録方式を決定する方式決定機能と、
前記装置選択機能により選択された前記データ通信装置に対し、前記予約記録情報を送信して、前記方式決定機能により決定された前記記録方式に応じた前記記録予約設定を行う予約設定機能とをコンピュータに実現させるための記録予約制御プログラム。
【発明の詳細な説明】
【技術分野】
【０００１】
本発明は、映像データまたは音声データの通信を行えるデータ通信装置、データ通信装置における記録予約方法および記録予約制御プログラムに関する。
【背景技術】
【０００２】
近年、ホームネットワークが構築されるようになってきている。ホームネットワークは、Ｅｔｈｅｒｎｅｔ（登録商標）や無線ＬＡＮ（Ｌｏｃａｌ  Ａｒｅａ  Ｎｅｔｗｏｒｋ）等のネットワークを介して家庭内のテレビや、ＨＤＤレコーダ（ＨＤＤ：Ｈａｒｄ  Ｄｉｓｋ  Ｄｒｉｖｅを内蔵したデータ記録装置）、ＤＶＤレコーダ(ＤＶＤ:ｄｉｇｉｔａｌ  ｖｅｒｓａｔｉｌｅ  ｄｉｓｋに対するデジタルデータの記録機能を備えたデータ記録装置)といった映像データと音声データの再生または記録機能を備えた装置を、例えばＵＰｎＰ等の技術仕様にしたがい相互に接続したものである。
【０００３】
従来、このようなホームネットワークにデータ記録装置を複数接続している場合において、あるデータ記録装置で録画予約に関する入力操作が行われたときに、録画予約の設定が別のデータ記録装置で行われることがあった（例えば特許文献１参照）。
【０００４】
また、ホームネットワークでは、映像データまたは音声データを別の装置にネットワーク経由で転送して映像データまたは音声データを複製する（ダビングする）ことができるようになっており、例えば、映像データを据え置き型の装置から携帯型の装置に転送し、屋外で映像を視聴するといった使用形態も考えられる。このように、ホームネットワークに接続されるデータ記録装置は、映像データまたは音声データを送受信するデータ通信手段を備えたデータ通信装置としての機能を備えている。
【特許文献１】特開２００５−２５２４０２号公報
【発明の開示】
【発明が解決しようとする課題】
【０００５】
しかし、映像データまたは音声データを他の装置に転送するときは、データ転送に時間を要し、しかも転送するための操作を行わねばならず、手間がかかってしまう。また、デジタル放送の放送波を受信して、テレビのコピーワンスの映像コンテンツを録画しているときは、映像データを１度しか録画することができないため、何らかの原因でデータ転送が失敗すると、元の映像データも消失してしまうおそれがある。さらに、データ記録装置同士で映像データの記録、再生のフォーマットが異なれば、映像データを転送前に予め転送先の装置で再生可能なフォーマットに変換するか、または転送の際にフォーマットを変換する必要が生じてしまう。
【０００６】
そこで、本発明は上記課題を解決するためになされたもので、データ通信装置、そのデータ通信装置における記録予約方法および記録予約制御プログラムにおいて、映像データまたは音声データを記録している装置とは別のデータ記録装置を用いて映像や音声を視聴する場合にデータ転送を行わなくても済むようにし、データ転送に要する手間と時間を省けるようにすることを目的とする。
【課題を解決するための手段】
【０００７】
上記課題を解決するため、本発明は、ネットワークに接続されている他のデータ通信装置とデータ通信を行う通信手段と、予約記録に必要な予約記録情報が入力される予約記録情報入力手段と、ネットワークに接続されているデータ通信装置のうち、予約記録情報入力手段により入力された予約記録情報を用いた記録予約設定を行うデータ通信装置を選択する装置選択手段と、その装置選択手段が選択したデータ通信装置から、そのデータ通信装置に適用されるデータ記録方式を示す記録方式情報を取得する取得手段と、その取得手段により取得された記録方式情報を用いて、予約記録に用いられる記録方式を決定する方式決定手段と、装置選択手段が選択したデータ通信装置に対し、通信手段により予約記録情報を送信して、方式決定手段が決定した記録方式に応じた記録予約設定を行う予約設定手段とを有するデータ通信装置を特徴とする。
【０００８】
また、本発明は、予約記録に必要な予約記録情報の入力を受け、ネットワークに接続されているデータ通信装置から、入力された予約記録情報を用いて記録予約設定を行うデータ通信装置を選択し、選択されたデータ通信装置から、そのデータ通信装置に適用されるデータ記録方式を示す記録方式情報を取得し、その取得された記録方式情報を用いて、予約記録に用いられる記録方式を決定し、選択したデータ通信装置に対し、予約記録情報を送信して、決定した記録方式に応じた記録予約設定を行うことを特徴とするデータ通信装置における記録予約方法を提供する。
【０００９】
さらに本発明は、ネットワークに接続されているデータ通信装置から、予約記録に必要な入力された予約記録情報を用いて記録予約設定を行うデータ通信装置を選択する装置選択機能と、その装置選択機能により選択されたデータ通信装置から、そのデータ通信装置に適用されるデータ記録方式を示す記録方式情報を取得する取得機能と、その取得機能により取得された記録方式情報を用いて、予約記録に用いられる記録方式を決定する方式決定機能と、装置選択機能により選択されたデータ通信装置に対し、予約記録情報を送信して、方式決定機能により決定された記録方式に応じた記録予約設定を行う予約設定機能とをコンピュータに実現させるための記録予約制御プログラムを提供する。
【発明の効果】
【００１０】
以上詳述したように、本発明によれば、データ通信装置、記録予約方法および記録予約制御プログラムにおいて、映像データまたは音声データを記録している装置とは別の装置を用いて映像や音声を視聴する場合でも、データ転送を行わなくても済むようにし、データ転送に要する時間と手間を省くことができるようになる。
【発明を実施するための最良の形態】
【００１１】
以下、本発明の実施の形態について説明する。なお、同一要素には同一符号を用い、重複する説明は省略する。
【００１２】
（第１の実施形態）
図１は本発明の実施の形態に係るデータ通信装置としてのＨＤＤレコーダ１１，１２を備えた通信システム１の構成を示すブロック図である。通信システム１はＥｔｈｅｒｎｅｔ（登録商標）や無線ＬＡＮなどのネットワーク２を有し、映像データの伝送に必要な帯域が利用可能な技術を用いて構成されている。ネットワーク２にはＨＤＤレコーダ１１，１２が接続され、携帯型データ記録装置１３が接続されている。
【００１３】
ＨＤＤレコーダ１１，１２は、詳しくは後述するが、いずれもＨＤＤとＤＶＤドライブを内蔵しており、放送波を受信して、図示しないＨＤＤまたは光ディスク（例えば、ＤＶＤ−ＲＡＭやＤＶＤ−Ｒ等）に、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）−２形式で映像や音声データを記録する。また、ＨＤＤレコーダ１１，１２は、記録したＭＰＥＧ−２形式のデジタルデータを読み取って映像や音声データを再生することもでき、データ再生装置としての機能も有している。なお、ＨＤＤレコーダ１１，１２は家庭内で据え置いて使用される据え置き型を想定している。
【００１４】
携帯型データ記録装置１３は、映像や音声データを記録するとともに、自身が持つ液晶表示装置１３ａに記録された映像を表示したり、図示しないスピーカから記録された音声を出力したりすることができ、データ記録再生機能を有している。また、携帯型データ記録装置１３は、ＨＤＤレコーダ１１，１２と同様にデータ通信機能を備えている。なお、携帯型データ記録装置１３はユーザが携帯し、屋外に持ち出されて使用されることを想定している。
【００１５】
ＨＤＤレコーダ１１，１２には、映像データを再生して映像を表示するモニタとしてのテレビ１４，１５がそれぞれ接続されている。テレビ１４，１５は、ＨＤＤレコーダによる再生映像や操作画面を表示することができる。テレビ１４，１５は放送波を受信して、映像コンテンツを視聴することができるとともに、ＨＤＤレコーダ１１，１２がＨＤＤや光ディスクから読み取った映像データや音声データ等のデジタルデータを再生する機能を有している。
【００１６】
図２は、ＨＤＤレコーダ１１の本発明に係る主要な構成を示すブロック図である（図示はしないが、ＨＤＤレコーダ１２の内部構成もＨＤＤレコーダ１１の内部構成と同様であり、ＨＤＤレコーダ１２はＨＤＤレコーダ１１と同様の機能を有している）。図２に示すとおり、ＨＤＤレコーダ１１は、ネットワーク通信手段１０１と、予約録画情報入力手段１０２と、録画機器情報取得手段１０３と、録画機器選択手段１０４とを有している。また、ＨＤＤレコーダ１１は、録画方式取得手段１０５と、録画方式選択手段１０６と、予約録画設定手段１０７とを有している。
【００１７】
ネットワーク通信手段１０１は、ネットワーク２を介して他のデータ通信装置（本実施の形態では、ＨＤＤレコーダ１２または携帯型データ記録装置１３）とデータ通信を行う通信手段である。例えば、ネットワーク通信手段１０１は、ネットワークインターフェースを介して、ＴＣＰ／ＩＰ等のネットワークプロトコルを用いて他のデータ通信装置と通信を行う。
【００１８】
予約録画情報入力手段１０２は、ユーザがコンテンツの予約録画に必要な情報（予約録画情報）を入力する入力手段であり、例えばリモコン（リモートコントローラ）や、内蔵する操作ボタンによって構成されている。
【００１９】
録画機器情報取得手段１０３はネットワーク２に接続されている他のデータ記録装置から、そのデータ通信装置に関する後述する装置情報を取得する取得手段である。
【００２０】
録画機器選択手段１０４はネットワーク２に接続されているデータ通信装置（ＨＤＤレコーダ１１，ＨＤＤレコーダ１２および携帯型データ記録装置１３）から、後述する録画予約設定が行われるデータ通信装置を選択する装置選択手段である。
【００２１】
録画方式取得手段１０５は録画機器選択手段１０４によって選択されたデータ通信装置に適用されているデータ記録方式を示す録画方式情報（詳しくは後述する）を取得する取得手段である。
【００２２】
録画方式選択手段１０６は、録画方式取得手段１０５によって取得された録画方式情報を用いて、予約録画に用いられる録画方式を決定する方式決定手段である。
【００２３】
予約録画設定手段１０７はネットワーク２に接続されたデータ通信装置のうち、録画機器選択手段１０４によって選択されたデータ通信装置に対して、録画予約設定を行う予約設定手段である。
【００２４】
そして、録画機器情報取得手段１０３、録画機器選択手段１０４、録画方式取得手段１０５、録画方式選択手段１０６および予約録画設定手段１０７は、ＭＰＵ（Ｍｉｃｒｏ  Ｐｒｏｃｅｓｓｉｎｇ  Ｕｎｉｔ）と、ＲＯＭおよびＲＡＭを備えたコントローラによって実現されている。なお、ＲＯＭには制御プログラムやＭＰＵが実行するプログラムが書き込まれ、ＲＡＭはＭＰＵによるプログラムの実行に必要なワークエリアを提供し得るようになっている。コントローラは、ＲＯＭに記憶されている制御プログラムに従い上述の各モジュールを制御して、録画や再生などのセット動作を統括する。
【００２５】
そして、コントローラは、ＵＰｎＰ（Ｕｎｉｖｅｒｓａｌ  Ｐｌｕｇ  ａｎｄ  Ｐｌａｙ）規格に準拠して、ネットワーク２に接続されている他のデータ通信装置とネットワーク通信手段１０１で通信を行う。
【００２６】
ここで、ＵＰｎＰについて説明する。ＵＰｎＰはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に基づく動作が行われるネットワークにおいて、そのネットワークに接続されている装置（データ通信装置、プリンタ、スキャナなど）の発見や操作を面倒な設定を行うことなく実現できるようにすることを目的としている。
【００２７】
そして、データ通信装置や、データ通信装置が提供する「サービス」を発見するためにはＳＳＤＰ（Ｓｉｍｐｌｅ  Ｓｅｒｖｉｃｅ  Ｄｉｓｃｏｖｅｒｙ  Ｐｒｏｔｏｃｏｌ）が用いられる。ＳＳＤＰを用いることで、「デバイス」は、「デバイス」や「サービス」がネットワーク上に存在することを通知したり、「コントロールポイント」が所望の「デバイス」を探索したりすることができる。ＳＳＤＰで発見した装置からは、Ｄｅｖｉｃｅ  Ｄｅｓｃｒｉｐｔｉｏｎと呼ばれるＸＭＬ（Ｅｘｔｅｎｓｉｂｌｅ  Ｍａｒｋｕｐ  Ｌａｎｇｕａｇｅ）形式で記述されたデータ通信装置の属性情報を取得することができる。
【００２８】
Ｄｅｖｉｃｅ  Ｄｅｓｃｒｉｐｔｉｏｎには、装置を一意に識別するための識別子であるＵＤＮ（Ｕｎｉｑｕｅ  Ｄｅｖｉｃｅ  Ｎａｍｅ）、表示などに使用するＦｒｉｅｎｄｌｙＮａｍｅ、提供される「サービス」のリストなどが記述されている。同様に「サービス」についても、Ｓｅｒｉｖｃｅ  Ｄｅｓｃｒｉｐｔｉｏｎと呼ばれるＸＭＬ形式のデータを取得可能であり、実行できる操作などが記述されている。Ｓｅｒｖｉｃｅ  Ｄｅｓｃｒｉｐｔｉｏｎに記述されている操作は、ＳＯＡＰ（Ｓｉｍｐｌｅ  Ｏｂｊｅｃｔ  Ａｃｃｅｓｓ  Ｐｒｏｔｏｃｏｌ）を用いて呼び出される。
【００２９】
コントローラは、ネットワーク２に接続されている他のデータ通信装置（例えば、ＨＤＤレコーダ１２）から送信（転送）される予約録画情報を受け付けるために、ネットワーク録画予約サービス（ここではＳｃｈｅｄｕｌｅｄ  Ｒｅｃｏｒｄｉｎｇ  Ｓｅｒｖｉｃｅとする）を作動させる。ネットワーク録画予約サービスはＵＰｎＰの「サービス」として実現される。「コントロールポイント」は、ネットワーク録画予約サービスを提供する装置に対して録画予約要求を送信することによって、録画予約を行うことができる。録画予約要求には予約録画情報が含まれる。
【００３０】
ネットワーク録画予約サービスを提供する装置（すなわち、「デバイス」）は、録画予約要求を受信すると、受信した録画予約要求に含まれている予約録画情報を解析し、録画予約を設定できるか否かの判定を行う。また、「デバイス」は、その判定の結果を「コントロールポイント」に通知する。そして、「デバイス」は、録画予約を設定できた場合には、通常の録画予約（「デバイス」で録画予約が直接行われた場合）と同様に処理を実行する。
【００３１】
次に、ＨＤＤレコーダ１１が行う録画予約の設定動作について、図３に示すフローチャートを参照して説明する。ＨＤＤレコーダ１１では、コントローラがＨＤＤに記憶されている録画予約制御プログラムにしたがい作動することによって録画予約の設定動作が行われる。
【００３２】
まず、ユーザは予約録画情報入力手段１０２を用いて予約録画情報を入力する（Ｓ１）。この場合、例えば、ユーザは録画開始時刻、終了時刻、チャンネル、番組名といった予約録画の設定に必要な情報を予約録画情報として入力する。本実施の形態では、予約録画情報を入力する手法は特に限定されない。例えば、予約録画情報はテレビ１４に表示されるEPG(Electronic  Program  Guide)にしたがいユーザがリモコン操作を行うことによって入力することができるが、リモコン操作により直接録画時間等を指定するなどして入力してもよい。また、予約録画情報はネットワーク２を通じて通信を行い取得してもよいし、記憶媒体を用いて取得してもよい。
【００３３】
ユーザが予約録画情報を入力すると、録画機器情報取得手段１０３がネットワーク通信手段１０１を作動させてネットワーク２に接続されているデータ通信装置に関する装置情報を取得する（Ｓ２）。
【００３４】
この装置情報は、例えば、各データ通信装置のＩＰアドレスおよび名称や、録画情報を設定するための通信ポートなどが含まれている。本実施の形態では、装置情報は上述のＵＰｎＰを適用して取得すればよいが、独自のコマンドなどを用いて取得してもよく、装置情報を取得する方式は特に限定されていない。
【００３５】
そして、装置情報が取得されると、録画機器選択手段１０４がネットワーク２に接続されているデータ通信装置の中から、録画予約設定を行う装置を選択する（Ｓ３）。この場合、録画機器選択手段１０４はすべてのデータ通信装置（ＨＤＤレコーダ１１，１２および携帯型データ記録装置１３）を選択してもよいし、予めユーザが設定したデータ通信装置を選択してもよい。また、毎回ユーザがデータ通信装置を選択するようにしてもよい。
【００３６】
次に、録画方式取得手段１０５がネットワーク通信手段１０１による通信を行い、選択された各データ通信装置から録画方式情報を取得する（Ｓ４）。この録画方式情報としては、例えば、MPEG-2,MPEG-4といった各データ通信装置において録画可能な録画フォーマット、ビットレート、画素数などの情報が含まれている。なお、本実施の形態では、録画方式情報を取得する方式に特に限定されず、ＵＰｎＰを適用してもよいし、独自のコマンドなどを用いてもよい。
【００３７】
続いて、録画方式決定手段１０６は、録画方式取得手段１０５が取得した各データ通信装置の録画方式情報を用いて予約録画に用いられる録画方式を決定する（Ｓ５）。これは、例えば、予約録画情報の録画時間やデータ通信装置の録画可能時間を鑑みて決定してもよいし、ユーザの過去の録画履歴に基づき、よく用いられる録画方式を選択するようにしてもよい。
【００３８】
予約録画設定手段１０７は、録画機器選択手段１０４により選択されたデータ通信装置に対し、ネットワーク通信手段１０１による通信を行って予約録画情報入力手段１０２によって入力された予約録画情報を設定して（Ｓ６）、決定された録画方式に応じた録画予約設定を行う。録画予約設定が行われると、録画予約の設定動作が終了する。
【００３９】
この場合、録画方式は録画方式決定手段１０６が決定したものが適用されている。例えば、ＨＤＤレコーダ１１と携帯型データ記録装置１３とが選択されていたときは、それぞれに適用されている録画方式が決定されることによって、２つのデータ通信装置にそれぞれの録画方式に応じた録画予約設定が行われる。これにより、２つのデータ通信装置で同時に同じコンテンツの録画予約を行うことができ、同じコンテンツの録画が２つのデータ通信装置で並行して行われる。
【００４０】
したがって、例えば、ＨＤＤレコーダ１１によって録画したコンテンツをテレビ１４で視聴していてその視聴を一時中断した場合でも、同一コンテンツは予め携帯型データ記録装置１３でも録画されているため、映像データの転送やフォーマット変換といったわずらわしい手間や時間をかけることなく、そのコンテンツの続きを携帯型データ記録装置１３を屋外にも持ち出し外出先で視聴することが可能となる。これにより、映像データを記録しているＨＤＤレコーダ１１とは別の携帯型データ記録装置１３を用いて映像を視聴する場合でも、データ転送を行わなくても済むようになり、データ転送に要する時間と手間を省けるようになる。
【００４１】
（第２の実施形態）
次に、第２の実施形態について説明する。本実施の形態は、第１の実施の形態と比較してＨＤＤレコーダ１１のかわりにＨＤＤレコーダ３１が用いられる点で異なり、そのほかは同じである。ＨＤＤレコーダ３１は、図４に示すように、ＨＤＤレコーダ１１と比較して、スケジュール管理手段１０８を有する点、録画機器選択手段１０４がスケジュール管理手段１０８によって管理されている後述するスケジュールにしたがってデータ通信装置を選択する点が異なるほかは同じである。
【００４２】
そして、スケジュール管理手段１０８は、ユーザのスケジュール（予定情報）を管理している。スケジュール管理手段１０８は、ＨＤＤなどのスケジュールを記憶する予定情報記憶手段と、記憶されているスケジュールをユーザの操作入力によって更新する更新手段によって構成されている。更新手段はコントローラによって実現されている。予定情報記憶手段には、ユーザのリモコン操作によって入力したスケジュールを記憶しているが、外部からネットワーク２を通じて通信を行い、取得したスケジュールを記憶することができ、記憶媒体を用いて取得したスケジュールを記憶することもできる。
【００４３】
そして、ＨＤＤレコーダ３１によって録画予約設定が行われる場合、上記ステップ３（Ｓ３）において、録画機器選択手段１０４がスケジュール管理手段１０８によって管理されているスケジュールにしたがってデータ通信装置を選択する。例えば、今、予約録画を行おうとしているコンテンツの予約録画時間が８時から９時の場合を想定する。また、スケジュール管理手段１０８では、１０時からユーザの外出予定がスケジュールとして管理されているとする。
【００４４】
これらの情報によると、ユーザにとっては、８時から９時の間に録画したコンテンツを１０時以降の外出先で視聴できることが望ましく、これを実現可能とするデータ通信装置が最適なデータ通信装置といえる。したがって、録画機器選択手段１０４はデータ通信装置の中から、その最適なデータ通信装置として、携帯型データ記録装置１３を選択する。
【００４５】
この場合、携帯型データ記録装置１３が最適なデータ通信装置として選択されるため、コンテンツの録画予約設定が携帯型データ記録装置１３に対して行われることになる。こうすることにより、ユーザの外出が予定されている１０時には携帯型データ記録装置１３において予約録画が設定されたコンテンツがすでに録画されているため、データ転送に要する余分な手間や時間をかけることなく、ユーザは携帯型データ記録装置１３を携帯してすぐに外出することができ、その外出先で録画したコンテンツを視聴することが可能となる。この場合も、ユーザはデータ転送を行わなくても済むようになり、データ転送に要する時間と手間を省けるようになる。
【００４６】
（第３の実施形態）
次に、第３の実施形態について説明する。本実施の形態は、第１の実施の形態と比較してＨＤＤレコーダ１１のかわりにＨＤＤレコーダ３２が用いられる点で異なり、そのほかは同じである。ＨＤＤレコーダ３２は、図５に示すように、ＨＤＤレコーダ１１と比較して、録画再生情報取得手段１０９および録画再生情報管理手段１１０を有する点、録画機器選択手段１０４が録画再生情報取得手段１０９および録画再生情報管理手段１１０にしたがってデータ記録装置を選択する点が異なるほかは同じである。
【００４７】
録画再生情報取得手段１０９は、ネットワーク２に接続された各データ記録装置から、録画再生情報を取得する。ここで、録画再生情報には、予約録画の実績情報やコンテンツの再生実績情報が含まれている。予約録画の実績情報は予約録画が設定された実績を示す情報で、例えば予約録画が設定されたコンテンツの名称、回数などの実績を示す情報である。コンテンツの再生実績情報はコンテンツが再生された実績を示す情報で、例えば再生されたコンテンツの名称、回数などの実績を示す情報である。
【００４８】
録画再生情報管理手段１１０は、録画再生情報取得手段１０９によって取得した録画再生情報を管理する。録画再生情報管理手段１１０は、ＨＤＤなどの録画再生情報を記憶する録画再生情報記憶手段と、記憶されている録画再生情報を録画再生情報取得手段１０９によって取得した録画再生情報を用いて更新する更新手段によって構成されている。更新手段はコントローラによって実現されている。
【００４９】
そして、ＨＤＤレコーダ３２によって録画予約設定が行われる場合、ＨＤＤレコーダ３２では、図６に示すように、装置情報を取得した後、録画再生情報取得手段１０９は、ネットワーク通信手段１０１を作動させて録画再生情報を取得する（Ｓ７）。続いて、録画機器選択手段１０４が録画再生情報管理手段１１０によって管理されている録画再生情報にしたがってデータ通信装置を選択する。
【００５０】
この場合、例えば、コンテンツの再生実績情報が、録画したコンテンツが携帯型データ記録装置１３によって多く再生されていることを示しているとする。すると、ユーザにとっては、コンテンツの再生に用いることの多い携帯型データ記録装置１３によって録画したコンテンツを視聴できることが望ましく、これを実現可能とするデータ通信装置が最適なデータ通信装置といえる。したがって、録画機器選択手段１０４はデータ通信装置の中から、その最適なデータ通信装置として、携帯型データ記録装置１３を選択する。
【００５１】
また、予約録画の実績情報が、予約録画がＨＤＤレコーダ１２によって多く設定されていることを示しているとする。この場合、ユーザにとっては、予約録画の設定に用いることの多いＨＤＤレコーダ１２に予約録画が設定されることが望ましく、ＨＤＤレコーダ１２が最適なデータ通信装置といえる。したがって、録画機器選択手段１０４はデータ通信装置の中から、その最適なデータ通信装置として、ＨＤＤレコーダ１２を選択する。
【００５２】
このように、第３の実施の形態では、コンテンツの再生実績や予約録画の実績にしたがい、予約録画コンテンツの再生回数が多い携帯型データ記録装置１３や予約録画が多く設定されているＨＤＤレコーダ１２に予約録画設定が行われる。そのため、コンテンツの再生や予約録画の実績に応じたデータ通信装置に対して録画予約設定が行われ、したがって、例えば，外出先で再生を行い、録画コンテンツを視聴することの多いユーザは、特段の手間や時間をかけることなしに外出先で録画コンテンツの視聴が可能となり、この場合も、ユーザはデータ転送を行わなくても済むようになり、データ転送に要する時間と手間を省けるようになる。
【００５３】
上記の実施の形態では、予約録画を行う場合を例にとって説明しているが、本発明は音声情報の記録を予約する場合（予約録音、予約録画と予約録音をあわせて予約記録ともいう）についても適用することができる。
【００５４】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５５】
【図１】本発明の実施の形態に係るＨＤＤレコーダを備えた通信システムの構成を示すブロック図である。
【図２】本発明の第１の実施の形態に係るＨＤＤレコーダ内部の主要な構成を示すブロック図である。
【図３】図２のＨＤＤレコーダにおける録画予約設定の動作手順を示すフローチャートである。
【図４】本発明の第２の実施の形態に係るＨＤＤレコーダ内部の主要な構成を示すブロック図である。
【図５】本発明の第３の実施の形態に係るＨＤＤレコーダ内部の主要な構成を示すブロック図である。
【図６】図５のＨＤＤレコーダにおける録画予約設定の動作手順を示すフローチャートである。
【符号の説明】
【００５６】
１…通信システム、１１，１２…ＨＤＤレコーダ
１３…携帯型データ記録装置、１４，１５…テレビ
１０１…ネットワーク通信手段、１０２…予約録画情報入力手段
１０３…録画機器情報取得手段、１０４…録画機器選択手段
１０５…録画方式取得手段、１０６…録画方式選択手段
１０７…予約録画設定手段、１０８…スケジュール管理手段
１０９…録画再生情報取得手段、１１０…録画再生情報管理手段
【図１】
2008131487.tif 000003
【図２】
2008131487.tif 000004
【図３】
2008131487.tif 000005
【図４】
2008131487.tif 000006
【図５】
2008131487.tif 000007
【図６】
2008131487.tif 000008